(57)【要約】【課題】住宅の棟部等の笠木をカラーベスト、野地板等に固定する作業において、釘を打ち込むための下穴開け作業を省略することにより、施工工数の削減を図るための手段を提供すること。【解決手段】軸周面１ｂに螺旋状のねじ山２が形成され、先端部３が錐状に尖ったビスであって、前記先端部３の一側部に、ねじ込み回転方向に向かったエッジ４ａを有する薄肉部４が形成されたビス１。【選択図】　　　図１
2004092172.tif 000002
【特許請求の範囲】
【請求項１】
軸周面に螺旋状のねじ山が形成され、先端部が錐状に尖ったビスであって、前記先端部の一側部に、ねじ込み回転方向に向かったエッジを有する薄肉部が形成されたことを特徴とするビス。
【請求項２】
野地板の上に配置されたカラーベストの上に笠木を固定する笠木固定方法において、前記笠木の上面から少なくとも前記野地板まで達する長さを有する請求項１記載のビスをねじ込むことにより、前記笠木を前記カラーベスト及び前記野地板に固定をすることを特徴とする笠木の固定方法。
【発明の詳細な説明】
【０００１】
【発明の属する技術分野】
本発明は、住宅の棟部等に設置される笠木をカラーベスト及び野地板に固定するためのビス、及び該ビスを用いた笠木の固定方法に関する。
【０００２】
【従来の技術】
住宅の棟部では、図５（ｄ）に示すように、棟木７上に多数配設された垂木８の上に野地板９、ルーフィングＲ、カラーベスト１１ａ、１１ｂが順に重ねて固定され、棟の頂１０に沿って、２本の笠木１２が釘１４にてカラーベスト１１ａ、１１ｂ及び野地板９の上に固定され、これら２本の笠木１２が板金加工が施された薄板材１４によって覆われた構造が採られる場合がある。
【０００３】
かかる棟部の施工が行われる場合は、まず、図５（ａ）に示すように、垂木８上に固定された野地板９上に、カラーベスト１１ｂ、１１ａの一端縁を棟の頂１０の両側に沿ってそれぞれ配置し、同じく棟の頂１０の両側に沿って笠木１２をそれぞれ配置する。
【０００４】
次いで、図５（ｂ）に示すように、釘１４を打ち込むために、電動ドリル等の穴あけ工具１５を使って、前記笠木１２から野地板９又は垂木８にまで達する下穴を開け、図５（ｃ）に示すように、穿設した下穴に釘１４を金槌１７等を用いて打ち込むことによって、図５（ｄ）に示すように、棟の頂１０に沿って配置した２本の前記笠木１２をカラーベスト１１ａ、１１ｂ及び野地板９に固定し、最後に、これら２本の笠木１２に前記薄板材１６を被せて固定していた。
【０００５】
【発明が解決しようとする課題】
前記釘１４をカラーベスト１１ａ、１１ｂ等に打ち込むために、下穴を開ける作業は作業者にとって煩わしいものであり、又、住宅の棟部という高所での作業であるので、できるだけ省略することが望ましいものの、カラーベスト１１ａ、１１ｂは、石綿、セメント、陶器質等の割れやすい原料からなるため、下穴を開けずに釘１４をそのまま打ち込むとカラーベスト１１ａ、１１ｂを破損することとなることから、下穴を開ける作業を省略することは困難であった。
【０００６】
本発明は、かかる課題に鑑みてなされたものであり、住宅の棟部等の笠木をカラーベスト及び野地板に固定する作業において、釘を打ち込むための下穴開け作業を省略することにより、施工工数の削減を図るための手段を提供することを目的とする。
【０００７】
【課題を解決するための手段】
上記目的を達成するために、請求項１記載のビスは、軸周面に螺旋状のねじ山が形成され、先端部が錐状に尖ったビスであって、前記先端部の一側部に、ねじ込み回転方向に向かったエッジを有する薄肉部が形成されたことを特徴としている。
【０００８】
請求項２記載の笠木固定方法は、野地板の上に配置されたカラーベストの上に笠木を固定する笠木固定方法において、前記笠木の上面から少なくとも前記野地板まで達する長さを有する請求項１記載のビスをねじ込むことにより、前記笠木を前記カラーベスト及び前記野地板に固定をすることを特徴としている。
【０００９】
【発明の実施の形態】
以下、本発明の実施の形態に係るビス及び笠木固定方法について図面に基づき説明する。図１及び図２（ａ）に示すように、前記ビス１は、軸周面１ｂに螺旋状のねじ山２が形成され、先端部３が錐状に尖ったビスであって、前記錘状に尖った先端部３の一側部に、ねじ込み回転方向Ｍに向かったエッジ４ａを有する薄肉部４が形成され、更に他方の頭部には、ドライバー工具が嵌合される十字穴１ａが形成されている。以下、更に詳細に説明する。
【００１０】
図３に示すように、前記ビス１が、笠木等の木材５ａやカラーベスト等の割れやすい材料５ｂに対して、下穴が穿設されることなく、直接ねじ込まれると、錘状に尖った先端部３が材料５ａ、５ｂに突き刺されると同時に、前記薄肉部４のエッジ４ａが材料５ａ、５ｂを錘状に切削しながら材料５ａ、５ｂの内方へ侵入する。このため、前記材料５ａ、５ｂに前もって下穴が開けられていなくても、これら材料５ａ、５ｂに対して、割れを発生させることなく前記ビス１を貫入することが可能である。
【００１１】
また、エッジ４ａの切削により発生した材料５ａ、５ｂの切粉Ｋは、エッジ４ａによる材料５ａ、５ｂの切削により形成される錘状の切削跡と薄肉部４との間の隙間を通じてねじ山２側へ送出され、前記エッジ４ａと共に回転するねじ山２の間の螺旋の溝に沿って移動し、外へ排出されるので、前記ビス１は、ねじ込まれている最中に材料５ａ、５ｂの内部で詰まることなく、一気に最深位までねじ込まれる。
【００１２】
前記ビス１の材質としては、上記した材料５ａ、５ｂを切削することが十分に可能なものであればよく、例えば、一般的なビス等にも使用される、所定の熱処理を施したステンレス鋼（日本工業規格ＳＵＳ４１０など）を採用することができる。
【００１３】
前記薄肉部４のエッジ４ａの形状は、前記したように、ビス１のねじ込み回転方向Ｍに向かったもの、つまり、前記エッジ４ａがねじ込む材料に対し直角ないし鋭角に切り込む形状のものであればよく、図２（ａ）に示したように、前記エッジ４ａがねじ込み回転方向Ｍに直角に向かったものに限定されない。すなわち、図２（ｂ）に示すように、外径側になるにつれて、前記ねじ込み回転方向Ｍへ湾曲する形状のものや、図３（ｃ）に示すように、前記ねじ山２の材料に対する食い込み代を多く取るために、ビス１の軸周面１ｂと前記エッジ４ａの後端側が同径位置付近に形成されたものであってもよい。
【００１４】
つぎに、このビス１を用いた笠木固定方法について説明する。この笠木固定方法は、図４（ａ）に示すように、棟木７の上から両斜め下方へ多列等間隔で配置された垂木８の上に覆設された野地板９及びルーフィングＲ上に、棟の頂１０の両側に沿って、カラーベスト１１ｂをそれぞれ配置し、同じく該カラーベスト１１ｂの上面にこれより若干小さいサイズのカラーベスト１１ａを配置し、同じく棟の頂１０の両側に沿って、笠木１２をそれぞれ配置する。
【００１５】
次いで、図４（ｂ）に示すように、前記笠木１２から野地板９又は、設計指示がある場合には、垂木８まで達する長さを有する前記ビス１を、下穴を開けずに、インパクトドライバー１３等のねじ廻し工具を用いて、笠木１２の上面から野地板９又は垂木８にまでねじ込むことにより、前記笠木１２をカラーベスト１１ａ、１１ｂ及び野地板９に固定する。
【００１６】
そして最後に、図４（ｃ）に示すように、棟の頂１０の両側に沿って固定された２本の前記笠木１２の形状に対応するように板金加工が施された薄板材１６を被せ、側方から釘１４を打ち込んで笠木１２に固定する。
【００１７】
このように、本発明の実施の形態に係るビス１によれば、その先端部３にねじ込み回転方向Ｍに向かったエッジ４ａを有する薄肉部４が形成されているので、上記した、下穴を開けない笠木の固定方法であっても、カラーベスト１１ａ、１１ｂを割ることなく、笠木１２をカラーベスト１１ａ、１１ｂ、野地板９等に固定することができる。この結果、釘１４により笠木１２を固定していた従来例に係る笠木の固定方法において必ず行われいた、下穴を開ける作業が省略されるので、施工工数が削減される。また、エッジ４ａの切削により発生した笠木１２、カラーベスト１１ａ、１１ｂ等の切粉は、該エッジ４ａと共に回転するねじ山２の間の螺旋に沿って移動し外へ排出されるので、ビス１をねじ込んでいる最中に、笠木１２やカラーベスト１１ａ、１１ｂ等の内部で詰まることがなく、一気に最深位までねじ込むことができるので、ビス１のねじ込み作業時間の短縮化も図られる。
【００１８】
【発明の効果】
以上の説明から明らかなように、請求項１記載のビスは、軸周面に螺旋状のねじ山が形成され、先端部が錐状に尖ったビスであって、前記先端部の一側部に、ねじ込み回転方向に向かったエッジを有する薄肉部が形成されているので、このビスが材料に対してねじ込まれると、錘状に尖った先端部が材料に突き刺さると同時に、薄肉部のエッジが材料を錘状に切削しながら材料の内方へ侵入するので、材料に前もって下穴が開けられていなくても、割れを発生させることなく貫入することが可能である。また、エッジの切削により発生した材料の切粉は、該エッジと共に回転するねじ山の間の螺旋に沿って移動し外へ排出されるので、ねじ込んでいる最中に、ビスを材料の内部で詰まらせることなく、最深位まで一気に捻じ込むことができる。
【００１９】
請求項２記載の笠木の固定方法によれば、請求項１記載のビスにより、笠木がカラーベスト及び野地板に固定されるので、割れやすいカラーベストであっても、下穴開け作業省略することができ、施工工数の削減が図られる。また、前記したように、笠木、カラーベスト等にねじ込んでいる最中にビスをこれらの材料の内部で詰まらせることなく、一気に最深位まで捻じ込むことができので、ビスのねじ込み作業自体をも短時間で行うことができるという利点がある。
【図面の簡単な説明】
【図１】本発明の実施の形態に係るビスを示した図である。
【図２】図１のＡ−Ａ断面図及びビスの変形例を示した図である。
【図３】本発明の実施の形態に係るビスを材料にねじ込む際の状態を示した説明図である。
【図４】本発明の実施の形態に係る笠木の固定方法の説明図である。
【図５】従来例に係る笠木の固定方法の説明図である。
【符号の説明】
１　ビス
１ｂ　軸周面
２　ねじ山
３　先端部
４　薄肉部
４ａ　エッジ
７　棟木
８　垂木
９　野地板
１１ａ、１１ｂ　カラーベスト
１２　笠木
【図１】
2004092172.tif 000003
【図２】
2004092172.tif 000004
【図３】
2004092172.tif 000005
【図４】
2004092172.tif 000006
【図５】
2004092172.tif 000007